(57)【特許請求の範囲】
【請求項１】
バーナ本体と、それに載置させた載置状態に組み付けられるバーナキャップとが設けられ、
前記バーナ本体と前記バーナキャップとの間に、外方に向けて炎を形成する炎口が周方向に沿って形成されたガスコンロ用バーナであって、
前記炎口が、前記バーナキャップの外周部下部と前記バーナ本体との間に隙間状に形成された保炎口を備えて構成され、
前記バーナ本体における前記バーナキャップとの間に前記炎口を形成する炎口形成部が、前記バーナキャップよりも外方に張り出し且つ前記炎口よりも下方側に間隔を隔てて位置する張り出し部を備えるように構成されているガスコンロ用バーナ。
【請求項２】
バーナ本体と、それに載置させた載置状態に組み付けられるバーナキャップとが設けられ、
前記バーナ本体と前記バーナキャップとの間に、外方に向けて炎を形成する炎口が周方向に沿って形成されたガスコンロ用バーナであって、
前記炎口が、主炎口部分と、その主炎口部分よりも小さな炎を形成する補助炎口部分とを備えて構成され、
前記バーナ本体における前記バーナキャップとの間に前記炎口を形成する炎口形成部が、前記バーナキャップよりも外方に張り出す張り出し部を備えるように設けられ、
前記張り出し部のうち、前記補助炎口部分に対応する張り出し部が、前記主炎口部分に対応する張り出し部よりも外方側に突出するように構成されているガスコンロ用バーナ。
【請求項３】
バーナ本体と、それに載置させた載置状態に組み付けられるバーナキャップとが設けられ、
前記バーナ本体と前記バーナキャップとの間に、外方に向けて炎を形成する炎口が周方向に沿って形成されたガスコンロ用バーナであって、
前記炎口が、主炎口部分と、その主炎口部分よりも小さな炎を形成する補助炎口部分とを備えて構成され、
前記バーナ本体における前記バーナキャップとの間に前記炎口を形成する炎口形成部が、前記バーナキャップよりも外方に張り出し且つ前記炎口よりも下方側に位置する張り出し部を備えるように構成され、
前記張り出し部のうち、前記補助炎口部分に対応する張り出し部が、前記主炎口部分に対応する張り出し部よりも外方側に突出するように構成されているガスコンロ用バーナ。
【請求項４】
前記補助炎口部分に対応する張り出し部に、前記周方向に沿い且つその周方向両端が開口した凹溝が設けられている請求項２又は３記載のガスコンロ用バーナ。
【請求項５】
前記炎口が、前記周方向に間隔を隔てて設けられた複数の主炎口、及び、それら複数の主炎口の下部に連通する状態で、前記バーナ本体と前記バーナキャップとの間の外周部に全周又は略全周にわたって隙間状に形成された保炎口を備えて構成され、
前記バーナ本体の前記炎口形成部における前記保炎口を形成する部分に、前記周方向に全周又は略全周にわたる状態で、凹溝が設けられ、
前記周方向に隣接する主炎口同士の間に、混合管からガス燃料が供給される保炎流路が、前記凹溝に連通する状態で設けられている請求項１〜４のいずれか１項に記載のガスコンロ用バーナ。
【発明の詳細な説明】
【０００１】
【発明の属する技術分野】
本発明は、バーナ本体と、それに載置させた載置状態に組み付けられるバーナキャップとが設けられ、
前記バーナ本体と前記バーナキャップとの間に、外方に向けて炎を形成する炎口が周方向に沿って形成されたガスコンロ用バーナに関する。
【０００２】
【従来の技術】
かかるガスコンロ用バーナは、図２３に示すように、炎口Ｈからガス燃料と一次空気との混合ガスを噴出し、バーナ本体Ｂｍの外周部に沿って上方に二次空気（図２３において破線矢印にて示す）を通流させて、炎口Ｈから噴出される混合ガスの燃焼域に燃焼用の二次空気を供給する状態で、炎口Ｈから噴出される混合ガスを燃焼させるものである（例えば、特開２００１−２４８８０９号公報参照）。尚、図２３において、２８は、バーナ本体ＢｍにおけるバーナキャップＢｃとの間に炎口Ｈを形成する炎口形成部である。
そして、例示はしないが、従来技術に関する上記公報の図８及び図９に示されるように、炎口形成部２８を、バーナキャップＢｃの下縁部よりも外方に張り出し且つ炎口Ｈの下縁と同高さに位置する張り出し部を略全周にわたって同一の小さい張り出し量（バーナキャップＢｃの下縁部よりも外方に突出する寸法）にて備えるように構成し、炎口Ｈにて形成される炎Ｆがバーナ本体Ｂｍの外周部に沿って上方に流れる二次空気により煽られるのを、張り出し部２９により抑制することが考えられる。
【０００３】
【発明が解決しようとする課題】
ところで、かかるコンロ用バーナでは、燃焼量を調整自在に構成するが、上記公報の図８及び図９にて示される如く、従来のように、単純に、炎口の下縁と同高さで略全周にわたって同一の小さい張り出し量にて張り出す張り出し部を設けただけでは、燃焼量を小さくした直後に、バーナ本体の外周部に沿って上方に流れる二次空気が燃焼量の大きい状態に対応して多量に流れている状態で炎が小さくなると、小さい炎が二次空気により煽られ易くなるという問題があった。炎が煽られると、炎が吹き消されたり火移りしなくなったりして、燃焼が不安定になる。
ちなみに、炎口を、バーナキャップの外周部下部とバーナ本体との間に全周又は略全周にわたって隙間状に形成された保炎口を備えて構成して、燃焼量を小さくした直後に小さな炎が煽られて燃焼が不安定になるのを、保炎口にて形成される保炎の保炎作用により抑制するようにすることが行われるが、燃焼量を小さくした直後に、保炎自体も煽られて、燃焼が不安定になり易く、改善の余地があった。
そこで、燃焼量を小さくした直後に炎が二次空気により煽られるのを抑制するために、炎口の下縁と同高さで略全周にわたって同一の張り出し量にて張り出す張り出し部の張り出し量を、十分に大きくすることが考えられるが、単純に張り出し量を大きくすると、下記の如き問題が発生する。
即ち、張り出し部の張り出し量が大きいと、二次空気の供給が妨げられ易いので、燃焼量を大きくして炎が大きくなった場合に、二次空気が不足し易くなって燃焼が不安定になり易いという問題が生じる。又、炎が大きくなると、炎が張り出し部にへばりつき易くなって、炎が張り出し部にはうように横向きに形成され易くなり、加熱効率が悪くなるという問題も生じる。特に、小さい加熱調理用容器の場合は、炎が横向きに形成されると、加熱調理用容器の底に対する炎の接触面積が狭くなり易く、加熱効率が悪化し易い。
又、かかるガスコンロ用バーナにおいては、五徳の過熱を抑制する等のために、炎口を、主炎口部分と、その主炎口部分よりも小さな炎を形成する補助炎口部分とを備えて構成して、補助炎口部分を五徳の爪部分に対応させて配置する場合がある。
このような場合、略全周にわたって同一の張り出し量にて張り出す張り出し部の張り出し量が大きいと、燃焼量を大きくして、主炎口部分にて形成される炎が大きくなった場合に、二次空気が不足し易くなり、燃焼が不安定になり易いという問題が生じる。又、主炎口部分にて形成される炎が張り出し部にへばりつき易くなって、炎が張り出し部にはうように横向きに形成され易くなり、加熱効率が悪くなるという問題も生じる。
【０００４】
本発明は、かかる実情に鑑みてなされたものであり、その目的は、大燃焼量から小燃焼量に切り換えるときの燃焼状態を安定に維持できながら、大燃焼量時には二次空気を適切に供給でき、更には、加熱効率の向上を図ることが可能なガスコンロ用バーナを提供することにある。
【０００５】
【課題を解決するための手段】
〔請求項１記載の発明〕
請求項１に記載の特徴構成は、前記炎口が、前記バーナキャップの外周部下部と前記バーナ本体との間に隙間状に形成された保炎口を備えて構成され、
前記バーナ本体における前記バーナキャップとの間に前記炎口を形成する炎口形成部が、前記バーナキャップよりも外方に張り出し且つ前記炎口よりも下方側に間隔を隔てて位置する張り出し部を備えるように構成されていることにある。
請求項１に記載の特徴構成によれば、炎口が、バーナキャップの外周部下部とバーナ本体との間に隙間状に形成された保炎口を備えて構成されていることから、保炎口にて形成される保炎の保炎作用により、炎口にて安定燃焼させることができる。
そして、燃焼量を小さくした直後に二次空気が多量に流れている状態で炎が小さくなっても、小さい炎が煽られるのを張り出し部にて抑制することができ、且つ、保炎口にて形成される保炎が二次空気にて煽られるのも張り出し部にて抑制することができて、燃焼状態を安定に維持できながら、その張り出し部が炎口よりも下方側に位置していることから、燃焼量が大きくなって炎が大きくなった場合でも、二次空気が不足することなく適切に供給され、又、炎が張り出し部から離間し易くなって張り出し部にへばりつくのが抑制されるので、炎が横向きになるのが抑制されて上向きに形成され易くなる。
つまり、燃焼量を小さくした直後に炎が小さくなったときに、その小さい炎が二次空気により煽られるのを抑制し、且つ、保炎が二次空気により煽られるのを抑制するために、張り出し部の張り出し量を十分に大きくして、大燃焼量から小燃焼量に切り換えるときの燃焼状態を安定に維持できるようにしながらも、張り出し部が炎口よりも下方側に位置していて、炎と張り出し部との間に隙間が形成され易いので、燃焼量を大きくして炎が大きくなった場合でも、二次空気が不足することなく適切に供給され、又、炎は、張り出し部にへばりつくのが抑制されて、加熱効率を向上し得るように上向きに形成される。
従って、大燃焼量から小燃焼量に切り換えるときの燃焼状態を安定に維持できながら、大燃焼量時には二次空気を適切に供給でき、更には、加熱効率の向上を図ることが可能なガスコンロ用バーナを提供することができるようになった。
【０００６】
〔請求項２記載の発明〕
請求項２に記載の特徴構成は、前記炎口が、主炎口部分と、その主炎口部分よりも小さな炎を形成する補助炎口部分とを備えて構成され、
前記バーナ本体における前記バーナキャップとの間に前記炎口を形成する炎口形成部が、前記バーナキャップよりも外方に張り出す張り出し部を備えるように設けられ、
前記張り出し部のうち、前記補助炎口部分に対応する張り出し部が、前記主炎口部分に対応する張り出し部よりも外方側に突出するように構成されていることにある。
請求項２に記載の特徴構成によれば、補助炎口部分にて形成される炎は、燃焼量を小さくした直後に二次空気が多量に流れている状態で小さくなっても、補助炎口部分に対応する張り出し部の張り出し量が大きいことから、バーナ本体の外周部に沿って上方に流れる二次空気により煽られるのが抑制されて、燃焼状態を安定に維持でき、主炎口部分にて形成される炎は、燃焼量が大きくなって炎が大きくなった場合でも、主炎口部分に対応する張り出し部の張り出し量が小さいことから、二次空気が不足することなく適切に供給され、又、炎が張り出し部にへばりつくのが抑制されて、炎が横向きになるのが抑制され、加熱効率を向上し得るように上向きに形成される。
つまり、補助炎口部分にて形成される炎が燃焼量を小さくした直後に小さくなっても、その炎が二次空気にて煽られるのを十分に抑制できるように、その補助炎口部分に対応する張り出し部の張り出し量は十分に大きくし、燃焼量が大きくなって、主炎口部分にて形成される炎が大きくなっても、二次空気が不足することなく適切に供給され、且つ、張り出し部にへばりつくのを十分に抑制できるように、主炎口部分に対応する張り出し部の張り出し量を小さくすることが可能となるのである。
ちなみに、主炎口部分にて形成される炎は、補助炎口部分にて形成される炎に比べて大きくて長いので、主炎口部分に対応する張り出し部の張り出し量が小さくても、二次空気にて煽られるのを抑制できる。又、補助炎口部分にて形成される炎は、主炎口部分にて形成される炎に比べて短いので、炎が張り出し部にへばりつき易くなって横向きに形成され易くなっても、加熱調理用容器の底に対する炎の接触面積が狭くなるのが抑制される。
従って、大燃焼量から小燃焼量に切り換えるときの燃焼状態を安定に維持できながら、大燃焼量時には二次空気を適切に供給でき、更には、加熱効率の向上を図ることが可能なガスコンロ用バーナを提供することができるようになった。
【０００７】
〔請求項３記載の発明〕
請求項３に記載の特徴構成は、前記炎口が、主炎口部分と、その主炎口部分よりも小さな炎を形成する補助炎口部分とを備えて構成され、
前記バーナ本体における前記バーナキャップとの間に前記炎口を形成する炎口形成部が、前記バーナキャップよりも外方に張り出し且つ前記炎口よりも下方側に位置する張り出し部を備えるように構成され、
前記張り出し部のうち、前記補助炎口部分に対応する張り出し部が、前記主炎口部分に対応する張り出し部よりも外方側に突出するように構成されていることにある。
請求項３に記載の特徴構成によれば、補助炎口部分に対応する張り出し部は、炎口よりも下方側に位置し、しかも、張り出し量が大きいことから、補助炎口部分にて形成される炎は、張り出し部にへばりつくのが抑制され、又、燃焼量を小さくした直後に二次空気が多量に流れている状態で小さくなっても、バーナ本体の外周部に沿って上方に流れる二次空気により煽られるのが抑制されるので、燃焼状態を安定に維持でき、主炎口部分に対応する張り出し部は、炎口よりも下方側に位置し、しかも、張り出し量が小さいことから、主炎口部分にて形成される炎については、燃焼量が大きくなって炎が大きくなった場合でも、二次空気が不足することなく適切に供給され、又、張り出し部から離間し易くなって張り出し部にへばりつくのが抑制されて、炎が加熱効率を向上し得るように上向きに形成され易くなる。
つまり、張り出し部は炎口よりも下方側に位置していて、炎のへばりつきを抑制することができることから、補助炎口部分に対応する張り出し部については、炎が張り出し部にへばりつくのを十分に抑制しながらも、燃焼量を小さくした直後に二次空気が多量に流れている状態で炎が小さくなっても、二次空気により炎が煽られるのを十分に抑制することができるように、張り出し量を大きくすることが可能となる。
又、主炎口部分にて形成される炎については、張り出し部が炎口よりも下方側に位置すること及び張り出し部の張り出し量が小さいことにより、二次空気の供給が妨げられるのを抑制すると共に、張り出し部にへばりつくのを抑制することができることから、主炎口部分に対応する張り出し部については、燃焼量が大きくなって炎が大きくなった場合でも、二次空気が不足すること無く適切に供給され、且つ、炎が張り出し部にへばりつくのが十分に抑制されるように、張り出し部の張り出し量を小さくしながらも、張り出し量を小さくする程度を、バーナ本体の外周部に沿って上方に流れる二次空気により炎が煽られることを十分に抑制できる範囲に止めることが可能となる。
要するに、補助炎口部分にて形成される炎については、燃焼量を小さくした直後に二次空気が多量に流れている状態で炎が小さくなっても、その炎が二次空気にて煽られるのを十分に抑制できるようにしながら、燃焼量が大きくなって炎が大きくなったときの張り出し部へのへばりつきをも十分に抑制することが可能となり、主炎口部分にて形成される炎については、燃焼量の大小にかかわらず、二次空気が不足することなく適切に供給され、且つ、張り出し部にへばりつくのを十分に抑制できるようにしながら、燃焼量を小さくした直後の二次空気による煽りをも十分に抑制することが可能となる。
従って、大燃焼量から小燃焼量に切り換えるときの燃焼状態を安定に維持できながら、大燃焼量時には二次空気を適切に供給でき、更には、加熱効率の向上を図ることが可能なガスコンロ用バーナを提供することができるようになった。
【０００８】
〔請求項４記載の発明〕
請求項４に記載の特徴構成は、前記補助炎口部分に対応する張り出し部に、前記周方向に沿い且つその周方向両端が開口した凹溝が設けられていることにある。
請求項４に記載の特徴構成によれば、加熱調理用容器から煮汁が吹き出して、補助炎口部分に対応する張り出し部に流下しても、流下した煮汁は、凹溝に沿って流れてその凹溝の両端の開口部から流下するので、煮汁により補助炎口部分が詰まるのを防止することができる。
つまり、補助炎口部分は、主炎口部分に比べて炎口の開口面積が狭いことから、加熱調理用容器から吹き出した煮汁が入り込んで詰まり易いのであるが、その補助炎口部分に対応する張り出し部に、周方向に沿い且つその周方向両端が開口した凹溝を設けることにより、張り出し部に流下した煮汁を凹溝を伝わせて張り出し部から流下させることができるので、煮汁により補助炎口部分が詰まるのを防止することができる。
従って、炎口のつまりを解除するためのメンテナンス作業に係る負担を軽減することができるようになった。
【０００９】
〔請求項５記載の発明〕
請求項５に記載の特徴構成は、前記炎口が、前記周方向に間隔を隔てて設けられた複数の主炎口、及び、それら複数の主炎口の下部に連通する状態で、前記バーナ本体と前記バーナキャップとの間の外周部に全周又は略全周にわたって隙間状に形成された保炎口を備えて構成され、
前記バーナ本体の前記炎口形成部における前記保炎口を形成する部分に、前記周方向に全周又は略全周にわたる状態で、凹溝が設けられ、
前記周方向に隣接する主炎口同士の間に、混合管からガス燃料が供給される保炎流路が、前記凹溝に連通する状態で設けられていることにある。
請求項５に記載の特徴構成によれば、混合管からガス燃料と一次空気との混合ガスが供給されると、混合ガスが主炎口から噴出すると共に、保炎流路に流入して保炎口から吐出し、主炎口により主炎が形成され、保炎口により保炎が形成される状態で燃焼する。
この場合、保炎流路を流れる混合ガスの一部が、主炎口間の保炎口から吐出して、主炎口間に保炎が形成され、並びに、主炎口を流れる混合ガスのエジェクター作用により、保炎流路を流れる混合ガスの一部が凹溝を通じて、主炎口の下方の保炎口にも流れてそこから吐出して、主炎口の下方にも保炎が形成されるので、保炎が略全周にわたって形成されこととなり、主炎口の下方に形成される保炎にて、主炎口から噴出する混合ガスが保炎される状態で燃焼するので、主炎のリフトが抑制されて、全体として安定燃焼する。
そして、上述のように、周方向に間隔を隔てて設けられた複数の主炎口の下方に沿って、略全周にわたって保炎が形成されるようにすることにより、主炎口にて形成される主炎を保炎にて保炎するようにして、安定燃焼させるように構成したガスコンロ用バーナにおいて、請求項１、２又は３のいずれか１項に記載の特徴構成のように、バーナ本体の炎口形成部に張り出し部を設けることにより、保炎が、燃焼量を小さくした直後に小さくなってもバーナ本体の外周部に沿って上方に流れる二次空気により煽られるのが抑制され、又、主炎は、二次空気が不足することなく供給され、又、横向きになるのが抑制されて上向きに形成され易くなるのである。
ちなみに、請求項２又は３に記載の特徴構成のように、炎口における周方向の一部を、主炎口部分よりも小さな炎を形成する補助炎口部分に構成する場合は、補助炎口部分は、主炎口を無くして保炎口のみにて構成するようにしたり、主炎口よりも開口面積の小さい補助炎口と保炎口にて構成したりする。
そして、このように補助炎口部分を構成する場合において、補助炎口部分を構成する保炎口にて形成される保炎ばかりではなく、主炎口部分を構成する保炎口にて形成される保炎についても、バーナ本体の外周部に沿って上方に流れる二次空気により煽られるのを抑制することができる。
従って、周方向に間隔を隔てて設けられた複数の主炎口の下方に沿って、略全周にわたって保炎が形成されるようにすることにより、主炎口にて形成される主炎を保炎にて保炎するようにして、安定燃焼性を促進させるようにしたガスコンロ用バーナにおいて、大燃焼量から小燃焼量に切り換えるときの保炎の煽りを抑制することができて、その保炎による保炎作用を一段と促進させることができるので、大燃焼量から小燃焼量に切り換えるときの燃焼状態を一段と安定に維持できるようになった。
【００１０】
【発明の実施の形態】
〔第１実施形態〕
以下、図面に基づいて、本発明の第１実施形態を説明する。
図１は、本発明のガスコンロ用バーナ（以下、単にバーナと称する場合がある）を設けたビルトインタイプのガスコンロを示し、このガスコンロは、３台のバ−ナＢとグリルＧを備える本体部Ｍと、その本体部Ｍの上面を覆うトッププレ−ト２１と、このトッププレ−ト２１に載置される五徳２２とを備えて構成してある。
本体部Ｍの奥側には、グリルＧにおける燃焼排ガスを排気する排気口（図示省略）を設け、本体部Ｍの前面部には、バ−ナＢやグリルＧの点火及び消火操作や火力調節を行う複数種の操作具Ｒや、グリルＧの開閉扉Ｄを設けてある。
【００１１】
３台のバーナＢとして、燃焼量が最も大きい高火力バーナＢ１と、その高火力バーナＢ１よりも燃焼量が少なく、鍋底の温度を検出する温度センサＴを備えた標準バーナＢ２と、燃焼量が最も小さい小バーナＢ３とを設けてあり、以下の説明において、３台のバーナＢを区別して説明する必要がある場合は、高火力バーナＢ１、標準バーナＢ２、小バーナＢ３とそれぞれ称して説明する。
【００１２】
図２及び図３に示すように、トッププレ−ト２１には、各バーナＢの設置位置に対応させて、円形の二次空気流路用凹部２１ａを形成すると共に、その凹部２１ａの略中央部に位置させて、バーナＢの上部を挿通させる円形のバ−ナ用貫通孔２１ｂを形成し、その凹部２１ａの外周部に、周方向に間隔を開けて複数の二次空気流入口２１ｃを形成し、並びに、グリルＧの前記排気口を挿通させる排気用貫通孔２１ｅ（図１参照）を開口してある。
トッププレート２１には、各二次空気流路用凹部２１ａに対応させて、リング状の汁受け皿２３を、その内周部をトッププレ−ト２１と間隔を開けて二次空気吐出口２４を形成する状態で、外周部をトッププレート２１上に載置支持させて設けて、トッププレート２１と汁受け皿２３との間に、外周側の複数の二次空気流入口２１ｃから流入させた二次空気を内周側の二次空気吐出口２４から吐出させてバーナＢに供給するように通流させる概ねドーナツ状の二次空気流路２５を形成してある。尚、図３において、二次空気の流れを破線矢印にて示す。
五徳２２は、鍋等を載置する６本の爪２２ａを備え、６本の爪２２ａとバーナＢとの周方向における相対位置関係が所定の設定位置関係になるように位置決めされた状態で、汁受け皿２３を介してトッププレート２１に載置するように構成してある。
【００１３】
３台のバーナＢは、それぞれ同様に、バーナ本体Ｂｍと、それに載置させた載置状態に組み付けられるバーナキャップＢｃとを備えて構成し、バーナ本体Ｂｍに備えさせる本体側嵌合部ＳｍとバーナキャップＢｃに備えさせるキャップ側嵌合部Ｓｃとを、バーナ本体Ｂｍに対してバーナキャップＢｃを載置状態に向けて接近移動させることにより嵌合して、バーナ本体Ｂｍに対するバーナキャップＢｃの水平方向での位置決めを行うように構成してある。
【００１４】
そして、図３、図４、図９ないし図１２、及び、図１４に示すように、バーナキャップＢｃをバーナ本体Ｂｍに対して載置状態に組み付けた状態で、バーナ本体ＢｍとバーナキャップＢｃとの間に、混合ガス分配室１が区画形成され、並びに、その混合ガス分配室１に連通して、外方に向けて炎を形成する炎口Ｈが周方向に沿って形成されるように構成してある。
【００１５】
周方向における五徳２２の爪２２ａに対応する６箇所のうち、後述する点火炎口２０に対応する１箇所を除いた５箇所は、補助炎口部分Ｈｓとし、周方向における五徳２２の爪２２ａに対応する６箇所を除いた部分は主炎口部分Ｈｍとして、補助炎口部分Ｈｓは主炎口部分Ｈｍよりも小さい炎を形成するように構成して、五徳２２の爪２２ａが過熱されるのを抑制するようにしてある。つまり、炎口Ｈは、主炎口部分Ｈｍと、その主炎口部分Ｈｍよりも小さい炎を形成する補助炎口部分Ｈｓにて構成してある。
【００１６】
そして、図３、図４、図６ないし図１２に示すように、高火力バーナＢ１及び標準バーナＢ２については、バーナキャップＢｃの上部に、煮汁を径方向外方に案内して排出する煮汁排出溝５ｅを形成してある。
煮汁排出溝５ｅは、上下方向視において、５箇所の補助炎口部分Ｈｓのうちの２箇所の補助炎口部分Ｈｓと重複するように形成してある。
【００１７】
高火力バーナＢ１及び標準バーナＢ２のバーナキャップＢｃには、主炎口部分Ｈｍに対応する部分に、側方に開く状態で周方向に間隔を隔てて複数の主炎口２を設け、上下方向視において煮汁排出溝５ｅと重複しない補助炎口部分Ｈｓに対応する部分に、補助炎口４を設け、更に、それら複数の主炎口２及び複数の補助炎口４の下部に連通し且つバーナキャップＢｃの側方に開く状態で、バーナ本体ＢｍとバーナキャップＢｃとの間の外周部に略全周にわたる隙間状の保炎口１９を設けてある。
そして、炎口Ｈは、上述したように、主炎口部分Ｈｍと補助炎口部分Ｈｓとから構成してあるが、主炎口部分Ｈｍは、主炎口２及び保炎口１９にて構成し、上下方向視において煮汁排出溝５ｅと重複する２箇所の補助炎口部分Ｈｓ（以下、煮汁排出用の補助炎口部分Ｈｓと称する場合がある）は、主炎口２及び補助炎口４を設けずに保炎口１９のみにて構成し、煮汁排出用以外の補助炎口部分Ｈｓは、補助炎口４及び保炎口１９にて構成してある。
【００１８】
又、図１３及び図１４に示すように、小バーナＢ３については、主炎口部分Ｈｍは、主炎口２と保炎口１９にて構成し、５箇所の補助炎口部分Ｈｓそれぞれを、補助炎口４を設けずに保炎口１９にて構成してある。
【００１９】
先ず、バーナキャップＢｃについて説明を加える。
図４、図６、図８ないし図１０に基づいて、標準バーナＢ２のバーナキャップＢｃについて説明する。
標準バーナＢ２のバーナキャップＢｃは、中央部に軸心が上下方向を向く円環状のキャップ本体５と、その円状の円環状のキャップ本体５の孔に連通する状態で軸心が上下方向を向いてキャップ本体５の下方に連なるキャップ側嵌合部用円筒状体６とを一体的に備えるように、アルミニウムを材料としてダイカストにて型成形して製作してある。そして、円環状のキャップ本体５の孔とキャップ側嵌合部用円筒状体６の筒孔とを連通させて、二次空気を通流させる二次空気孔５Ｂを構成してある。
又、キャップ側嵌合部用円筒状体６にて、キャップ側嵌合部Ｓｃを構成する。
【００２０】
キャップ側嵌合部用円筒状体６の先端は、その略半周部分を上下軸心方向に沿って後退させるように形成して、キャップ側嵌合部用円筒状体６の先端に凹凸部６Ａを形成してある。
【００２１】
キャップ本体５の上部５Ｃは、中央側ほど低くなるように凹んだ凹状、即ちすり鉢状に形成し、下部の外周側には、下方に突出する状態の円環状の厚肉部５Ａを設け、その厚肉部５Ａの下面は、外側ほど上方に位置する傾斜面に形成してある。
そして、キャップ本体５の厚肉部５Ａの下面において、主炎口部分Ｈｍに対応する部分に、主炎口形成用の多数の主炎口用縦溝５ａを周方向に間隔を隔てて斜め上方を向くように形成すると共に、主炎口用縦溝５ａ同士の間には保炎流路用凹部５ｂを形成し、更に、煮汁排出用以外の補助炎口部分Ｈｓに対応する部分に、補助炎口用縦溝５ｈを形成してある。ちなみに、図３に示すように、キャップ本体５の厚肉部５Ａの下面において、点火プラグ１４の設置箇所側方に対応する箇所には、点火炎口２０を形成するための点火炎口用溝５ｄを形成してある。
【００２２】
主炎口用縦溝５ａは、厚肉部５Ａの外周側及び内周側の両方で開口するように斜め上向きに形成し、補助炎口用縦溝５ｈは、厚肉部５Ａの外周側及び内周側の両方で開口し、且つ、主炎口用縦溝５ａよりも浅くなるように斜め上向きに形成し、保炎流路用凹部５ｂは、厚肉部５Ａの外周側で閉じ、内周側で開くと共にその内周側の開口部を保炎流路用凹部５ｂの内部空間よりも狭くして絞り入口５ｃに形成してある。
【００２３】
キャップ本体５のすり鉢状上部５Ｃには、煮汁を、煮汁排出用の２箇所の補助炎口部分Ｈｓに対応する外周部に案内して排出するように、煮汁排出溝５ｅを形成し、二次空気孔５Ｂの孔縁部は、円筒状に起立させて、二次空気孔５Ｂの孔縁部に円筒状起立壁５ｆを設けてある。その円筒状起立壁５ｆは、キャップ本体５のすり鉢状上部５Ｃの外周縁部と略同高さに形成してある。
【００２４】
煮汁排出溝５ｅについて説明を加えると、煮汁排出溝５ｅは、２箇所の煮汁排出用の補助炎口部分Ｈｓのそれぞれに対応する外周部に向かって径方向に延びるように、２本形成してある。
煮汁排出溝５ｅは、キャップ本体５のすり鉢状上部５Ｃを、外周側ほど下方に位置するように傾斜状に窪ませて形成し、更に、キャップ本体５の厚肉部５Ａの端面部には、煮汁排出溝５ｅを形成する凹部の径方向先端の底部から径方向外周に突出するように庇部５ｇを設けてあり、もって、煮汁排出溝５ｅは、バーナ本体ＢｍとバーナキャップＢｃとの間に形成される炎口Ｈよりも、径方向外方に突出するように形成してある。
又、庇部５ｇの下面は、上方に向かって凹んだ状態に形成してある。具体的には、庇部５ｇの下面は、周方向視にて概ね逆Ｖ字状に窪ませてある。
【００２５】
図４、図７、図８、図１１及び図１２に基づいて、高火力バーナＢ１のバーナキャップＢｃについて説明を加える。
高火力バーナＢ１のバーナキャップＢｃは、標準バーナＢ２のバーナキャップＢｃと同様に、キャップ本体５及びキャップ側嵌合部用円筒状体６を備えるが、更に、傘状体７を、キャップ本体５の筒状起立壁５ｆの上方側に、３本の脚部３０にて、二次空気の通流を許容するように間隔を隔てた状態で二次空気孔５Ｂを覆うように支持してある。そして、その傘状体７は、二次空気孔５Ｂよりも小径に形成してあり、バーナキャップＢｃを、アルミニウムを材料としてダイカストにて型成形加工が可能なように構成してある。
キャップ側嵌合部用円筒状体６は、標準バーナＢ２のバーナキャップＢｃと同様であるので説明を省略する。
【００２６】
標準バーナＢ２と同様に、キャップ本体５の上部５Ｃは、外周側ほど高くなるすり鉢状に形成し、下部の外周側には、下方に突出する状態の円環状の厚肉部５Ａを設け、その厚肉部５Ａの下面は、外側ほど上方に位置する傾斜面に形成してある。
キャップ本体５の厚肉部５Ａの下面には、標準バーナＢ２と同様に、主炎口用縦溝５ａ、補助炎口用縦溝５ｈ、保炎流路用凹部５ｂ、点火炎口用溝５ｄを形成してある。
【００２７】
標準バーナＢ２と同様に、キャップ本体５のすり鉢状上部５Ｃには、煮汁を、２箇所の煮汁排出用の補助炎口部分Ｈｓに対応する外周部から排出するように、煮汁排出溝５ｅを形成し、二次空気孔５Ｂの孔縁部は、円筒状に起立させて、二次空気孔５Ｂの孔縁部に円筒状起立壁５ｆを設けてある。但し、円筒状起立壁５ｆは、キャップ本体５のすり鉢状上部５Ｃの上部周縁部よりも低くなるように設けてある。
【００２８】
煮汁排出溝５ｅについて説明を加えると、煮汁排出溝５ｅは、円筒状起立壁５ｆの外周を囲む環状の部分と、一端がその環状の部分に連通し且つ他端が２箇所の煮汁排出用の補助炎口部分Ｈｓのそれぞれに対応する外周部に向かって径方向に延びる２本の直線状の部分を備えて構成してある。
直線状の煮汁排出溝５ｅは、キャップ本体５のすり鉢状上部５Ｃを、外周側ほど下方に位置するように傾斜状に窪ませて形成し、更に、キャップ本体５の厚肉部５Ａの端面部には、直線状の煮汁排出溝５ｅを形成する凹部の径方向先端の底部から径方向外周に突出するように庇部５ｇを設けてあり、もって、高火力バーナＢ１においても、標準バーナＢ２と同様に、煮汁排出溝５ｅは、バーナ本体ＢｍとバーナキャップＢｃとの間に形成される炎口Ｈよりも、径方向外方に突出するように形成してある。
又、庇部５ｇの下面は、標準バーナＢ２と同様に、周方向視にて概ね逆Ｖ字状に窪ませてある。
【００２９】
標準バーナＢ２及び高火力バーナＢ１については、上述の説明から明らかであるが、それらにおいて共通する事項について念のために説明すると、キャップ本体５における煮汁排出溝５ｅの下方に位置する部分には、保炎流路用凹部５ｂを形成するが、主炎口用縦溝５ａ及び補助炎口用縦溝５ｈは形成しないようにして、炎口Ｈのうち、上下方向視にて煮汁排出溝５ｅと重複する部分は、主炎口２及び補助炎口４を設けずに保炎口１９のみを設けて、煮汁排出用の補助炎口部分Ｈｓとして構成し、上下方向視にて煮汁排出溝５ｅと重複しない部分は、主炎口２と保炎口１９とを設けて煮汁排出用の補助炎口部分Ｈｓよりも大きい炎を形成する主炎口部分Ｈｍと、補助炎口４と保炎口１９とを設けて煮汁排出用の補助炎口部分Ｈｓよりも大きい炎を形成する煮汁排出用以外の補助炎口部分Ｈｓとして構成してある。
【００３０】
図１３及び図１４に示すように、小バーナＢ３のバーナキャップＢｃは、軸心が上下方向に向く円盤状のキャップ本体５と、そのキャップ本体５の下方に軸心が上下方向を向いて連なるキャップ側嵌合部用円筒状体８を一体的に備えるように、アルミニウムを材料としてダイカストにて型成形して製作してある。そして、キャップ側嵌合部用円筒状体８にて、キャップ側嵌合部Ｓｃを構成する。
【００３１】
キャップ側嵌合部用円筒状体８は、上下軸心方向に直交する断面形状が円弧状となる割れ筒状に形成すると共に、割れ筒状のキャップ側嵌合部用円筒状体８の割れ部を、後述する本体側嵌合部Ｓｍを構成する突出部１７を挿入する開口部９として機能させるように構成してある。
更に、キャップ側嵌合部用円筒状体８の割れ部の割れ幅を、キャップ側嵌合部用円筒状体８における先端側ほど広くなるようにして、開口部９の開口幅が、キャップ側嵌合部用円筒状体８における先端側に位置する部分ほど広くなるようにしてある。
【００３２】
小バーナＢ３のキャップ本体５は、標準バーナＢ２のキャップ本体５と同様に、厚肉部５Ａを設けると共に、その厚肉部５Ａに、主炎口用縦溝５ａ、保炎流路用凹部５ｂ及び絞り入口５ｃを形成してある。
【００３３】
次に、バーナ本体Ｂｍについて説明を加えるが、高火力バーナＢ１及び標準バーナＢ２のバーナ本体Ｂｍは同様の構成であるので、高火力バーナＢ１及び標準バーナＢ２のバーナ本体Ｂｍについては、標準バーナＢ２を対象にして、図３ないし図５、図９及び図１０に基づいて説明し、小バーナＢ３のバーナ本体Ｂｍについては、図１３及び図１４に基づいて説明する。
【００３４】
図３ないし図５、図９及び図１０に示すように、高火力バーナＢ１及び標準バーナＢ２のバーナ本体Ｂｍは、混合管１０と、その混合管１０に接続されるバーナベース１１とを一体的に備えるように、アルミニウムを材料としてダイカストにて型成形して製作してある。
混合管１０は、ガスノズル（図示省略）からガス燃料が噴出供給されると共に、そのガス燃料の噴出供給に伴って一次空気が吸引される供給口１０ｉを備えて、その供給口１０ｉから供給されるガス燃料と一次空気とを混合させるように構成してある。
バーナベース１１は、軸心が上下方向に向く円筒状の内周壁１２を備えて、上方が開口した概ね円環状の混合ガス分配室１を内部に形成する概ね円環状に形成し、その混合ガス分配室１に、混合管１０から混合ガスが供給されるように構成してある。そして、バーナベース１１の円筒状の内周壁１２は、バーナキャップＢｃのキャップ側嵌合部用円筒状体６を内嵌させることが可能なように形成して、その内周壁１２を、本体側嵌合部Ｓｍを構成する本体側嵌合部用円筒状体１２として機能させるように構成し、その本体側嵌合部用円筒状体１２の内周面には、その半周にわたって、内方側に向かって突出する突条部１２ａを設けてある。
【００３５】
バーナベース１１の中央部に、混合ガス分配室１を形成する凹部を形成し、バーナベース１１の上部を外周側ほど高くなるすり鉢状に形成し、そのバーナベース１１のすり鉢状の上部を、バーナ本体ＢｍにおけるバーナキャップＢｃとの間に炎口Ｈを形成する炎口形成部１３として機能させるように構成してある。
【００３６】
そして、本発明においては、高火力バーナＢ１、標準バーナＢ２及び小バーナＢ３のそれぞれにおいて、バーナベース１１の炎口形成部１３を、バーナキャップＢｃよりも外方に張り出し且つ炎口Ｈよりも下方側に位置する張り出し部２６を備えるように構成し、更に、高火力バーナＢ１及び標準バーナＢ２のそれぞれにおいては、張り出し部２６のうち、煮汁排出用の補助炎口部分Ｈｓに対応する張り出し部２６ｓ（以下、煮汁排出部対応の張り出し部２６ｓと称する場合がある）が、煮汁排出用以外の補助炎口部分Ｈｓ及び主炎口部分Ｈｍに対応する張り出し部２６ｂ（以下、主炎口部分対応の張り出し部２６ｂと称する場合がある）よりも外方側に突出するように構成してある。
【００３７】
バーナベース１１の炎口形成部１３の外周部側には、略全周にわたる状態で凹溝１３ａを形成し、その凹溝１３ａの外側を囲む突条部１３ｂの高さを、凹溝１３ａの内側を囲む側壁部分１３ｃの高さと略同高さにしてある。凹溝１３ａの外側を囲む突条部１３ｂは、バーナ本体ＢｍにバーナキャップＢｃを載置状態に組み付けた状態で、キャップ本体５の外周縁部の直下に位置するように形成してある。
更に、バーナベース１１の炎口形成部１３の突条部１３ｂの外周部において、煮汁排出用の２箇所を除いた補助炎口部分Ｈｓ及び主炎口部分Ｈｍに対応する部分は、突条部１３ｂよりも高さが低く且つ突条部１３ｂよりも外方側に突出する下がり状段部に形成して、その下がり状段部を大炎口部分対応の張り出し部２６ｂとして機能させ、又、バーナベース１１の炎口形成部１３の突条部１３ｂの外周部おいて、２箇所の煮汁排出用の補助炎口部分Ｈｓに対応する部分は、大炎口部分対応の張り出し部２６ｂよりも高さが低く且つ大炎口部分対応の張り出し部２６ｂよりも外方側に突出する下がり状段部に形成して、その下がり状段部を煮汁排出部対応の張り出し部２６ｓとして機能させるように構成してある。
又、煮汁排出部対応の張り出し部２６ｓには、周方向に沿い且つその周方向両端が開口した凹溝２７を設けてある。
要するに、張り出し部２６のうち、煮汁排出部対応の張り出し部２６ｓが、大炎口部分対応の張り出し部２６ｂよりも外方側に突出するように構成してある。
【００３８】
更に、図３に示すように、バーナベース１１の混合ガス分配室１の外側には、点火プラグ１４を縦向きに挿通するプラグ挿通孔１５を形成すると共に、そのプラグ挿通孔１５の上部開口の上方を覆うようにプラグカバー１６を設け、そのプラグカバー１６には、点火プラグ１４の放電電極１４ａに対向するターゲット電極１６ａを設けてある。
【００３９】
図１３及び図１４に示すように、小バーナＢ３のバーナ本体Ｂｍは、高火力バーナＢ１及び標準バーナＢ２のバーナ本体Ｂｍと同様に、混合管１０と、その混合管１０に接続されたバーナベース１１とを一体的に備えるように、アルミニウムを材料としてダイカストにて型成形して製作してある。
小バーナＢ３の混合管１０は、高火力バーナＢ１及び標準バーナＢ２の混合管１０と同様に構成してある。
小バーナＢ３のバーナベース１１は、上部が開口した概ね有底円筒状に形成し、その内部を混合ガス分配室１として、混合管１０から混合ガスが供給されるように構成してある。
小バーナＢ３のバーナベース１１には、内周壁から張り出す張り出し部１７と、その張り出し部１７の張り出し方向の先端から上方に延びる円柱状の本体側嵌合部用軸体１８とを設けてある。本体側嵌合部用軸体１８は、バーナキャップＢｃのキャップ側円筒状状体８を外嵌させることが可能なように形成してある。
そして、張り出し部１７を、本体側嵌合部用軸体１８の周方向の一部から突出する突出部１７として機能させ、本体側嵌合部Ｓｍを本体側嵌合部用軸体１８と突出部１７とを備えて構成してある。
【００４０】
小バーナＢ３のバーナベース１１には、高火力バーナＢ１及び標準バーナＢ２と同様に、プラグ挿通孔１５、プラグカバー１６、及び、ターゲット電極（図示省略）を設けてある。
又、高火力バーナＢ１及び標準バーナＢ２と同様に、小バーナＢ３のバーナベース１１の上部は、外周側ほど高くなるすり鉢状に形成し、そのバーナベース１１のすり鉢状の上部を、バーナ本体ＢｍにおけるバーナキャップＢｃとの間に炎口Ｈを形成する炎口形成部１３として機能させるように構成してある。
又、バーナベース１１の炎口形成部１３には、高火力バーナＢ１及び標準バーナＢ２と同様に、凹溝１３ａ及びその凹溝１３ａの外側を囲む突条部１３ｂを形成してあるが、バーナキャップＢｃよりも外方に張り出し且つ炎口Ｈよりも下方側に位置する張り出し部２６は、略全周にわたって同一の張り出し量にて設けてある。
【００４１】
次に、バーナキャップＢｃをバーナ本体Ｂｍに載置状態に組み付ける方法について説明する。
図３、図４、図９ないし図１２に示すように、高火力バーナＢ１及び標準バーナＢ２においては、バーナキャップＢｃのキャップ側嵌合部用円筒状体６をバーナ本体Ｂｍの本体側嵌合部用円筒状体１２に内嵌させ、バーナキャップＢｃを、本体側嵌合部用円筒状体１２の内周面とキャップ側嵌合部用円筒状体６の外周面との接当により、バーナ本体Ｂｍにて上下方向に沿う上下軸芯周りに案内される状態で回転させて、特定位相に位相調整する。
バーナキャップＢｃをバーナ本体Ｂｍに対して特定位相に位相調整すると、キャップ側嵌合部用円筒状体６の先端の凹凸部６Ａの凹部に、本体側嵌合部用円筒状体１２の突条部１２ａが係合して、バーナキャップＢｃをバーナ本体Ｂｍに対して接近移動させることが可能となり、キャップ側嵌合部用円筒状体６の先端の凹凸部６Ａの凹部の底面に、本体側嵌合部用円筒状体１２の突条部１２ａが接当する状態となり（この状態が適正嵌合状態に相当する）、バーナキャップＢｃがバーナ本体Ｂｍに対して特定位相に位置決めした状態で水平方向に位置決めされた状態で固定され、もって、バーナキャップＢｃがバーナ本体Ｂｍに対して、特定位相に位置決めされた状態で載置状態に組み付けられる。
【００４２】
バーナキャップＢｃがバーナ本体Ｂｍに対して特定位相以外の位相に位相調整されて、キャップ側嵌合部用円筒状体６の先端の凹凸部６Ａの凸部が、本体側嵌合部用円筒状体１２の突条部１２ａに接当した状態（非適性嵌合状態に相当する）では、点火プラグ１４により点火動作を行っても点火が不可能となるように、バーナキャップＢｃをバーナ本体Ｂｍから離間させるべく、キャップ側嵌合部用円筒状体６の先端の凹凸部６Ａ及び本体側嵌合部用円筒状体１２の突条部１２ａを設定してある。
【００４３】
図１３及び図１４に示すように、小バーナＢ３においては、バーナキャップＢｃのキャップ側嵌合部用円筒状体８をバーナ本体Ｂｍの本体側嵌合部用軸１８に外嵌させ、バーナキャップＢｃを、本体側嵌合部用軸体１８の外周面とキャップ側嵌合部用円筒状体８の内周面との接当により、バーナ本体Ｂｍにて上下方向に沿う上下軸芯周りに案内される状態で回転させて、特定位相に位相調整する。
バーナキャップＢｃをバーナ本体Ｂｍに対して特定位相に位相調整すると、キャップ側嵌合部用円筒状体８の開口部９に、本体側嵌合部用軸体１８の周方向の一部から突出する突出部１７を入れ込んで、バーナキャップＢｃをバーナ本体Ｂｍに対して接近移動させることが可能となり、キャップ側嵌合部用円筒状体８の開口部９の上面に、突出部１７が接当する状態となって、バーナキャップＢｃがバーナ本体Ｂｍに対して特定位相に位置決めした状態で水平方向に位置決めされた状態で固定され、もって、バーナキャップＢｃがバーナ本体Ｂｍに対して、特定位相に位置決めされた状態で載置状態に組み付けられる。
【００４４】
バーナキャップＢｃがバーナ本体Ｂｍに対して特定位相以外の位相に位相調整されて、キャップ側嵌合部用円筒状体８の先端が、突出部１７に接当した状態（非適性嵌合状態に相当する）では、点火プラグ１４により点火動作を行っても点火が不可能となるように、バーナキャップＢｃをバーナ本体Ｂｍから離間させるべく、開口部９及び突出部１７を設定してある。
【００４５】
つまり、高火力バーナＢ１、標準バーナＢ２及び小バーナＢ３においては、本体側嵌合部Ｓｍとキャップ側嵌合部Ｓｃとを、バーナ本体Ｂｍに対してバーナキャップＢｍを上下方向に沿う上下軸心周りでの特定位相に位相調整したときに、バーナキャップＢｍが載置状態となる適正嵌合状態に嵌合し、且つ、特定位相以外の位相では適正嵌合状態に嵌合しないように構成してある。
【００４６】
そして、上述のようにバーナキャップＢｃがバーナ本体Ｂｍに対して組み付けられると、高火力バーナＢ１、標準バーナＢ２及び小バーナＢ３においては、同様に、バーナキャップＢｃのキャップ本体５の主炎口用縦溝５ａ及び保炎流路用凹部５ｂと、バーナ本体Ｂｍのバーナベース１１の炎口形成部１３とにより、混合ガス分配室１に連通する主炎口２、保炎流路３及び点火炎口２０が形成される。但し、高火力バーナＢ１及び標準バーナＢ２においては、更に、バーナキャップＢｃのキャップ本体５の補助炎口用縦溝５ｈと、バーナ本体Ｂｍのバーナベース１１の炎口形成部１３とにより、補助炎口４が形成される。
【００４７】
又、バーナベース１１の炎口形成部１３の突条部１３ｂは、キャップ本体５の厚肉部５Ａの外周縁の下方に沿うように位置させて、ベース面１３の凹溝１３ａをキャップ本体５の厚肉部５Ａの外周縁よりも内方側に位置させることにより、凹溝１３ａを、主炎口２及び保炎流路３に連通させてある。
更に、突条部１３ｂの高さを凹溝１３ａの内側を囲む側壁部分１３ｃの高さと略同高さとすることにより、バーナベース１１の炎口形成部１３とキャップ本体５の厚肉部５Ａの下面との間に、略全周にわたり、且つ、主炎口２及び保炎流路３に連通する状態で隙間を形成して、その隙間を保炎口１９として機能させるように構成してある。
【００４８】
次に、高火力バーナＢ１、標準バーナＢ２及び小バーナＢ３における燃焼形態について説明する。
高火力バーナＢ１及び標準バーナＢ２は、燃焼形態は同様であるので、図１５ないし図１８に基づいて、高火力バーナＢ１及び標準バーナＢ２の燃焼形態を一括して説明する。
尚、高火力バーナＢ１及び標準バーナＢ２においては、図９ないし図１２、及び、図１５ないし図１７において破線矢印にて示すように、二次空気は、トッププレート２１と汁受け皿２３との間に形成される二次空気流路２５の二次空気吐出口２４から、バーナ本体Ｂｍの外周部に沿って上方に向かって供給され、並びに、バーナキャップＢｃの二次空気孔５Ｂを通じて供給される。
【００４９】
混合ガス分配室１に混合ガスが供給されると、混合ガスが主炎口２、補助炎口４及び点火炎口２０から噴出すると共に、絞り入口５ｃから保炎流路３に流入して、保炎流路３において減圧された状態で、保炎口１９から吐出し、点火プラグ１４にて点火動作を行うと、点火炎口２０から噴出する混合ガスが燃焼して点火炎が形成され、その点火炎により、主炎口２、補助炎口４及び保炎口１９から噴出する混合ガスに火移りして、主炎口２により主炎Ｆ１が形成され、補助炎口４にて主炎Ｆ１よりも小さい補助炎（図示省略）が形成され、保炎口１９により保炎Ｆ２が形成されて、全体に燃焼する。各主炎口２により、主炎Ｆ１が斜め上向きに形成され、各補助炎口４により、補助炎が斜め上向きに形成される。
この場合、保炎流路３を流れる混合ガスの一部が、主炎口２間、主炎口２と補助炎口４間の保炎口１９から吐出して、主炎口２間、及び、主炎口２と補助炎口４間に保炎Ｆ２が形成され、並びに、主炎口２及び補助炎口４を流れる混合ガスのエジェクター作用により、保炎流路３を流れる混合ガスの一部が凹溝１３ａを通じて、主炎口２及び補助炎口４の下方の保炎口１９にも流れてそこから吐出して、主炎口２及び補助炎口４の下方にも保炎Ｆ２が形成されるので、保炎Ｆ２が略全周にわたって形成される。
従って、主炎口２及び補助炎口４の下方に保炎Ｆ２が形成されて、主炎口２及び補助炎口４から噴出する混合ガスが保炎Ｆ２にて保炎される状態で燃焼するので、リフトが抑制されて安定燃焼する。
又、主炎口２の下方にも保炎Ｆ２が形成されることで、主炎口２間に形成される保炎Ｆ２を小さくできるので、主炎Ｆ１にスムーズに二次空気を供給することができて、燃焼の安定性を更に向上することが可能となる。
又、保炎流路３には、絞り入口５ｃを通じて混合ガスが供給されることで、保炎流路３においては混合ガスが減圧されるので、保炎流路３から混合ガスが、より均一化された圧力で凹溝１３ａ及び保炎口１９に供給されることとなり、保炎口１９からの混合ガスの吐出が安定するので、保炎Ｆ２が安定して形成され、このことからも燃焼の安定性を更に向上することが可能となる。
【００５０】
又、主炎口２、補助炎口４及び保炎口１９よりも下方に位置する張り出し部２６を設けてあるので、燃焼量を小さくした直後に、バーナ本体Ｂｍの外周部に沿って二次空気が燃焼量の大きい状態に対応して多量に流れている状態で主炎Ｆ１、補助炎及び保炎Ｆ２が小さくなっても、主炎Ｆ１、補助炎及び保炎Ｆ２が二次空気により煽られるのを抑制することができ、又、張り出し部２６が主炎口２、補助炎口４及び保炎口１９よりも下方側に位置しているので、燃焼量を大きくして主炎Ｆ１、補助炎が長くなった場合でも、主炎Ｆ１及び補助炎は、二次空気が不足することなく適切に供給されると共に、張り出し部２６にへばりつくのが抑制されて上向きに形成される。
しかも、煮汁排出部対応の張り出し部２６ｓを大炎口部分対応の張り出し部２６ｂよりも外方側に突出するように構成してあるので、煮汁排出用の補助炎口部分Ｈｓにて形成される保炎Ｆ２は、煮汁排出部対応の張り出し部２６ｓの張り出し量が大きいことから、バーナ本体Ｂｍの外周部に沿って上方に流れる二次空気により煽られるのが一層効果的に抑制され、主炎口部分Ｈｍにて形成される主炎Ｆ１は、大炎口部分対応の張り出し部２６ｂの張り出し量が小さいことから、主炎Ｆ１が、二次空気が不足することなく適切に供給されると共に、張り出し部２６ｂにへばりつくのが一層効果的に抑制されて、主炎Ｆ１が横向きになるのが一段と抑制され、一段と上向きに形成され易くなる。
【００５１】
高火力バーナＢ１及び標準バーナＢ２において、加熱調理用容器から煮汁がバーナキャップＢｃのすり鉢状上部５Ｃに吹きこぼれても、円筒状起立壁５ｆにより二次空気孔５Ｂ内に落下するのが抑制されながら、煮汁は、煮汁排出溝５ｅを通じて、バーナキャップＢｃの外周部から流下して排出される。そして、煮汁排出溝５ｅから煮汁が煮汁排出部対応の張り出し部２６ｓ上に落下しても、張り出し部２６ｓが炎口Ｈよりも低く形成されており、しかも、張り出し部２６ｓには凹溝７が形成されていて煮汁が凹溝７を通じて落下されることから、炎口Ｈに入り込むのが抑制されて、炎口Ｈが詰まるのが抑制される。
又、仮に、煮汁が大炎口部分対応の張り出し部２６ｂ上に落下しても、張り出し部２６ｂが炎口Ｈよりも低く形成されていることから、炎口Ｈに入り込むのが抑制されて、炎口Ｈが詰まるのが抑制される。
【００５２】
小バーナＢ３においては、高火力バーナＢ１及び標準バーナＢ２のように煮汁排出用の補助炎口部分Ｈｓが設けられずに、張り出し部２６が略全周にわたって同一の張り出し量にて設けられていることから、主炎口部分Ｈｍにおいては、図１５及び図１６にて示す高火力バーナＢ１及び標準バーナＢ２の場合と同様に、主炎口２及び保炎口１９にて燃焼し、補助炎口部分Ｈｓにおいては、図１６にて示す燃焼形態と同様に、保炎口１９にて燃焼する。
但し、小バーナＢ３においては、二次空気は、トッププレート２１と汁受け皿２３との間に形成される二次空気流路２５の二次空気吐出口２４から、バーナ本体Ｂｍの外周部に沿って上方に向かって供給される。
【００５３】
そして、小バーナＢ３においては、主炎口２及び保炎口１９よりも下方に位置する張り出し部２６を設けてあるので、燃焼量を小さくした直後に、バーナ本体Ｂｍの外周部に沿って二次空気が燃焼量の大きい状態に対応して多量に流れている状態で主炎Ｆ１及び保炎Ｆ２が小さくなっても、主炎Ｆ１及び保炎Ｆ２が二次空気により煽られるのを抑制することができ、又、張り出し部２６が主炎口２及び保炎口１９よりも下方側に位置しているので、燃焼量を大きくして主炎Ｆ１が長くなった場合でも、主炎Ｆ１は、張り出し部２６にへばりつくのが抑制されて上向きに形成される。
又、仮に、煮汁が張り出し部２６上に落下しても、張り出し部２６が炎口Ｈよりも低く形成されていることから、炎口Ｈに入り込むのが抑制されて、炎口Ｈが詰まるのが抑制される。
【００５４】
以下、本発明の第２及び第３の各実施形態を説明するが、各実施形態においては、張り出し部２６の構成が異なる以外は、第１実施形態と同様であるので、同じ構成要素や同じ作用を有する構成要素については、重複説明を避けるために、説明及び図示を省略し、主として、張り出し部２６について説明する。
【００５５】
〔第２実施形態〕
第２実施形態においては、図１９及び図２０に示すように、高火力バーナＢ１及び標準バーナＢ２のそれぞれにおいては、バーナ本体ＢｍにおけるバーナキャップＢｃとの間に炎口Ｈを形成する炎口形成部１３を、炎口Ｈの下縁と同一高さにてバーナキャップよりも外方に張り出す張り出し部２６を備えるように設け、その張り出し部２６のうち、煮汁排出用の補助炎口部分Ｈｓに対応する張り出し部２６ｓが、他の補助炎口部分Ｈｓ及び主炎口部分Ｈｍに対応する張り出し部２６ｂよりも外方側に突出するように構成してある。
説明を加えると、高火力バーナＢ１及び標準バーナＢ２のそれぞれにおいては、バーナベース１１の炎口形成部１３において、凹溝１３ａの外側を囲む部分を、凹溝１３ａの内側を囲む側壁部分１３ｃの高さと略同高さの平面状に形成して、第１実施形態の如き突状部１３ｂを形成せず、その平面状部分を張り出し部２６としてある。
【００５６】
〔第３実施形態〕
第３実施形態においては、図２１及び図２２に示すように、小バーナＢ３において、バーナ本体ＢｍにおけるバーナキャップＢｃとの間に炎口Ｈを形成する炎口形成部１３を、バーナキャップＢｃよりも外方に張り出し且つ炎口Ｈよりも下方側に位置する張り出し部２６を備えるように構成し、更に、補助炎口部分Ｈｓに対応する張り出し部２６ｓが、主炎口部分Ｈｍに対応する張り出し部２６ｂよりも外方側に突出するように構成してある。
尚、補助炎口部分Ｈｓに対応する張り出し部２６ｓは、上記の第１実施形態における煮汁排出部対応の張り出し部２６ｓと同様に構成してある。
【００５７】
〔別実施形態〕
次に別実施形態を説明する。
（イ）  張り出し部２６は、上記の各実施形態において例示した構成以外に種々に構成することが可能である。
例えば、上記の第１実施形態においては、高火力バーナＢ１及び標準バーナＢ２においても、小バーナＢ３と同様に、バーナキャップＢｃよりも外方に張り出し且つ炎口Ｈよりも下方側に位置する張り出し部２６を、略全周にわたって同一の張り出し量にて設けても良い。
【００５８】
又、上記の第１実施形態においては、煮汁排出部対応の張り出し部２６ｓを大炎口部分対応の張り出し部２６ｂよりも高さが低くなるように設けたが、煮汁排出部対応の張り出し部２６ｓを大炎口部分対応の張り出し部２６ｂと同高さに設けても良い。
【００５９】
又、上記の第３実施形態においては、小バーナＢ３の炎口形成部１３を、バーナキャップＢｃよりも外方に張り出し且つ炎口Ｈよりも下方側に位置する張り出し部２６を備えるように構成し、その張り出し部２６のうち、補助炎口部分Ｈｓに対応する張り出し部２６ｓが主炎口部分Ｈｍに対応する張り出し部分２６ｂよりも外方に突出するように構成する場合について例示したが、これに代えて、炎口形成部１３を、炎口Ｈの下縁（具体的には、保炎口１９の下縁）と同高さにてバーナキャップＢｃよりも外方に張り出す張り出し部２６を備えるように構成し、その張り出し部２６のうち、補助炎口部分Ｈｓに対応する張り出し部２６ｓが主炎口部分Ｈｍに対応する張り出し部分２６ｂよりも外方に突出するように構成しても良い。
説明を加えると、バーナベース１１の炎口形成部１３において、凹溝１３ａの外側を囲む部分を、凹溝１３ａの内側を囲む側壁部分１３ｃの高さと略同高さの平面状に形成して、上記の実施形態の如き突状部１３ｂを形成せず、その平面状部分を張り出し部２６とする。
【００６０】
（ロ）  ５箇所の補助炎口部分Ｈｓのうち、煮汁排出用の補助炎口部分Ｈｓ以外の３箇所の補助炎口部分Ｈｓに対応する張り出し部２６も、煮汁排出部対応の張り出し部２６ｓと同様に、主炎口部分Ｈｍに対応する張り出し部２６よりも外方側に突出するように構成しても良い。
又、上記の実施形態においては、５箇所の補助炎口部分Ｈｓのうちの２箇所の補助炎口部分Ｈｓに対応して煮汁排出溝５ｅを設ける場合について例示したが、煮汁排出溝５ｅは、５箇所の補助炎口部分Ｈｓのうちの１箇所の補助炎口部分Ｈｓに対応して設けたり、３箇所以上の補助炎口部分Ｈｓに対応して設けても良い。そして、煮汁排出溝５ｅを設けた補助炎口部分Ｈｓに対応する張り出し部２６を、上記の各実施形態と同様に主炎口部分Ｈｍに対応する張り出し部２６よりも外方側に突出する煮汁排出部対応の張り出し部２６ｓとして構成しても良い。
【００６１】
（ハ）  本発明は、上記の実施形態において例示した如き３台のバ−ナＢを備えた所謂三口のガスコンロ以外に、２台のバ−ナＢを備えた所謂二口のガスコンロや、１台のバ−ナＢを備えた所謂一口のガスコンロ等、種々のガスコンロのガスコンロ用バーナに適用することが可能である。
【図面の簡単な説明】
【図１】本発明のガスコンロ用バーナを設けたガスコンロの斜視図
【図２】第１実施形態に係るガスコンロ用バーナを設けたガスコンロの要部の平面図
【図３】第１実施形態に係るガスコンロ用バーナを設けたガスコンロの要部の縦断面図
【図４】第１実施形態に係るガスコンロ用バーナの要部の分解斜視図
【図５】第１実施形態に係るガスコンロ用バーナのバーナ本体を示す平面図
【図６】実施形態に係るガスコンロ用バーナのバーナキャップの平面図
【図７】実施形態に係るガスコンロ用バーナのバーナキャップの平面図
【図８】実施形態に係るガスコンロ用バーナのバーナキャップの底面図
【図９】図８におけるＸ−Ｏ−Ｙ矢視図
【図１０】図８におけるＶ−Ｏ−Ｗ矢視図
【図１１】図８におけるＸ−Ｏ−Ｙ矢視図
【図１２】図８におけるＶ−Ｏ−Ｗ矢視図
【図１３】第１実施形態に係るガスコンロ用バーナの要部の分解斜視図
【図１４】第１実施形態に係るガスコンロ用バーナの要部の縦断面図
【図１５】第１実施形態に係るガスコンロ用バーナの要部の縦断面図
【図１６】第１実施形態に係るガスコンロ用バーナの要部の縦断面図
【図１７】第１実施形態に係るガスコンロ用バーナの要部の縦断面図
【図１８】第１実施形態に係るガスコンロ用バーナの要部の斜視図
【図１９】第２実施形態に係るガスコンロ用バーナの要部の縦断面図
【図２０】第２実施形態に係るガスコンロ用バーナの要部の縦断面図
【図２１】第３実施形態に係るガスコンロ用バーナのバーナ本体を示す平面図
【図２２】第３実施形態に係るガスコンロ用バーナの要部の縦断面図
【図２３】従来のガスコンロ用バーナの要部の縦断面図
【符号の説明】
２      主炎口
３      保炎流路
１０    混合管
１３    炎口形成部
１３ａ  凹溝
１９    保炎口
２６    張り出し部
２６ｂ  主炎口部分に対応する張り出し部
２６ｓ  補助炎口部分に対応する張り出し部
２７    凹溝
Ｂｃ    バーナキャップ
Ｂｍ    バーナ本体
Ｈ      炎口
Ｈｍ    主炎口部分
Ｈｓ    補助炎口部分
【図１】
0003860468.tif 000002
【図２】
0003860468.tif 000003
【図３】
0003860468.tif 000004
【図４】
0003860468.tif 000005
【図５】
0003860468.tif 000006
【図６】
0003860468.tif 000007
【図７】
0003860468.tif 000008
【図８】
0003860468.tif 000009
【図９】
0003860468.tif 000010
【図１０】
0003860468.tif 000011
【図１１】
0003860468.tif 000012
【図１２】
0003860468.tif 000013
【図１３】
0003860468.tif 000014
【図１４】
0003860468.tif 000015
【図１５】
0003860468.tif 000016
【図１６】
0003860468.tif 000017
【図１７】
0003860468.tif 000018
【図１８】
0003860468.tif 000019
【図１９】
0003860468.tif 000020
【図２０】
0003860468.tif 000021
【図２１】
0003860468.tif 000022
【図２２】
0003860468.tif 000023
【図２３】
0003860468.tif 000024